(57)【要約】【課題】電線の引き抜き作業を容易に行える速結端子装置を提供する。【解決手段】配線器具の器体１はボディ２とカバー３とで構成され、器体１の内部には、ボディ２の底面に貫設した電線挿入孔を通して器体１に導入される電線に接触する接触片２２，２２、及び、ばね力を利用して接触片２２，２２との間で電線を狭持するとともに該電線に食い込んで抜け止めする鎖錠片２３，２３が一体に形成された端子板２１と、鎖錠片２３による抜け止め状態を解除する解除釦５０とが収納されている。各解除釦５０は、器体１の表面に露出して手動操作される操作片５１と、当該操作片５１が押操作されると鎖錠片２３をそのばね力に抗して電線から引き離す向きに押し動かす押動部５２とを具備し、鎖錠片２３が接触片２２に対向する方向に沿ってスライド移動自在に配置されている。【選択図】      図１
2004319392.tif 000002
【特許請求の範囲】
【請求項１】
配線器具の器体の底面に貫設した電線挿入孔を通して器体に導入される電線に接触する端子板と、ばね力を利用して該端子板との間で前記電線を狭持するとともに鎖錠部が該電線に食い込んで抜け止めする電線接続手段と、該電線接続手段による抜け止め状態を解除する解除釦とを備え、該解除釦は、前記器体の表面に露出して手動操作される操作部と、当該操作部が押操作されると前記鎖錠部をそのばね力に抗して前記電線から引き離す向きに押し動かす押動部とを具備し、前記器体の内部にスライド移動自在に配置されたことを特徴とする速結端子装置。
【請求項２】
前記解除釦は、前記鎖錠部が前記端子板に対向する方向に沿ってスライド移動自在に配置されたことを特徴とする請求項１記載の速結端子装置。
【請求項３】
前記器体は、前面が開口したボディと、ボディの開口に被着されるカバーとで構成され、前記端子板及び前記電線接続手段と、前記解除釦とは、前記解除釦を前記ボディの底部側にして前記ボディに納装されることを特徴とする請求項２記載の速結端子装置。
【請求項４】
前記器体に複数の電線接続手段並びに複数の解除釦が設けられ、１つの電線接続手段に対して１つの解除釦が設けられたことを特徴とする請求項２記載の速結端子装置。
【請求項５】
電線接続状態において、前記解除釦の操作部を、電線の非接続状態に比べて押操作方向へ移動可能としたことを特徴とする請求項２記載の速結端子装置。
【請求項６】
前記操作部の操作面に、外側へ向かって突出する突部を設けたことを特徴とする請求項２記載の速結端子装置。
【請求項７】
前記突部の位置が前記器体の表面よりも後退した位置となるように前記解除釦を配置したことを特徴とする請求項６記載の速結端子装置。
【請求項８】
前記器体に複数の電線接続手段並びに複数の解除釦が設けられ、これら複数の解除釦が合成樹脂成型品により一体に形成されたことを特徴とする請求項２記載の速結端子装置。
【請求項９】
前記器体の側壁は、底部から立設され前記解除釦の一部と当接することで前記解除釦の抜けを防止する抜止部を残し、該抜止部よりも前方の部位に前記操作部を露出させる開口が設けられたことを特徴とする請求項８記載の速結端子装置。
【請求項１０】
前記器体に２個で１組の電線接続手段が１乃至複数組設けられるとともに、２個の電線接続手段に対して１つの解除釦が設けられており、解除釦の押動部が、対応する２個の前記電線接続手段の鎖錠部にそれぞれ対向する位置に移動自在に設けられたことを特徴とする請求項２記載の速結端子装置。
【請求項１１】
前記解除釦は、電線の挿入方向に沿ってスライド移動自在に配置されたことを特徴とする請求項１記載の速結端子装置。
【請求項１２】
前記器体の側面に前記解除釦の操作部を露出させる開口を設けるとともに、該開口から露出する前記操作部の部位に手で摘むための操作突起を設け、該操作突起の先端位置が前記器体の側面よりも後退した位置となるように前記解除釦を配置したことを特徴とする請求項１１記載の速結端子装置。
【請求項１３】
前記器体の側面に開口を設け、該開口から外側に前記操作部を露出させており、非操作状態において前記操作部の先端部を前記器体の底面付近まで突出させたことを特徴とする請求項１１記載の速結端子装置。
【請求項１４】
前記解除釦の操作部を、前記器体の底面に設けた貫通孔から外方に突出させたことを特徴とする請求項１１記載の速結端子装置。
【請求項１５】
前記器体の底面に手の指を入れることが可能な凹部を設けるとともに、該凹部の底に設けた貫通孔から外方に前記操作部を突出させており、前記操作部の先端位置が前記器体の底面よりも後退した位置となるように解除釦を配置したことを特徴とする請求項１１記載の速結端子装置。
【請求項１６】
前記解除釦の一部と当接することで前記解除釦をガイドするガイド手段を、前記解除釦のスライド方向に沿って設けたことを特徴とする請求項１、２又は１１の何れか１つに記載の速結端子装置。
【請求項１７】
前記器体の表面又は前記操作部の表面の少なくとも何れか一方に文字、絵、記号などで前記解除釦の操作方向を表示する表示部を形成したことを特徴とする請求項１、２又は１１の何れか１つに記載の速結端子装置。
【発明の詳細な説明】
【０００１】
【発明の属する技術分野】
本発明は、スイッチやコンセントのような配線器具の器体に収納されて電線を接続する速結端子装置に関するものである。
【０００２】
【従来の技術】
従来より、端子板と錠ばねとを備えた速結端子装置を端子部に用いた配線器具が提供されている。このような配線器具では、図３５に示すように器体１０１の背面に電線挿通用の挿通孔１０２を設けてあり、挿通孔１０２から導入される電線１０４に接触する端子板と、ばね力を利用して端子板との間で電線１０４の芯線を挟持する接触片及び電線１０４の一部に食い込むことで電線１０４を鎖錠する鎖錠片を具備した鎖錠ばねと、鎖錠片を端子板から離れる方向に押圧するための解除釦とを器体１０１の内部に収納してある（例えば特許文献１参照）。
【０００３】
ここで、端子部に電線１０４を接続する際には、被覆が剥かれた電線１０４の芯線を挿通孔１０２から器体１０１の内部に挿入すると、電線１０４の芯線が端子板と鎖錠ばねとの間に挿入され、接触片及び鎖錠片と端子板との間で電線１０４の芯線が挟持されるとともに、鎖錠片の先端が芯線に食い込むことによって、芯線の脱落が防止される。したがって、この速結端子装置では挿通孔１０２から電線１０４の芯線を挿入するだけで、電線１０４の芯線を接続できるようになっている。
【０００４】
【特許文献１】
特開平１１−１８５９０５号公報（段落番号［００１４］、及び、第１図）
【０００５】
【発明が解決しようとする課題】
ところで、上述の速結端子装置から電線１０４の芯線を外す場合は、器体１０１の背面に開口した操作孔１０３からマイナスドライバー１１０の先端を挿入して解除釦を押圧することによって、解除釦により鎖錠ばねの鎖錠片を端子板から離れる方向に撓ませており、鎖錠片が電線１０４の芯線から離れ、鎖錠状態が解除されるので、電線１０４を器体１０１から引き抜くことができる。しかしながら、片方の手で配線器具の器体１０１を持ち、もう一方の手に持ったマイナスドライバー１１０を操作孔１０３に挿入して解除釦を押した状態では、両方の手が塞がってしまうため、電線１０４を挿通孔１０２から引き抜くことが困難であった。
【０００６】
本発明は上記問題点に鑑みて為されたものであり、その目的とするところは、電線の引き抜き作業を容易に行える速結端子装置を提供することにある。
【０００７】
【課題を解決するための手段】
上記目的を達成するために、請求項１の発明では、配線器具の器体の底面に貫設した電線挿入孔を通して器体に導入される電線に接触する端子板と、ばね力を利用して該端子板との間で電線を狭持するとともに鎖錠部が該電線に食い込んで抜け止めする電線接続手段と、該電線接続手段による抜け止め状態を解除する解除釦とを備え、該解除釦は、器体の表面に露出して手動操作される操作部と、当該操作部が押操作されると鎖錠部をそのばね力に抗して電線から引き離す向きに押し動かす押動部とを具備し、器体の内部にスライド移動自在に配置されたことを特徴とする。
【０００８】
請求項２の発明では、請求項１の発明において、解除釦は、鎖錠部が端子板に対向する方向に沿ってスライド移動自在に配置されたことを特徴とする。
【０００９】
請求項３の発明では、請求項２の発明において、器体は、前面が開口したボディと、ボディの開口に被着されるカバーとで構成され、端子板及び電線接続手段と、解除釦とは、解除釦をボディの底部側にしてボディに納装されることを特徴とする。
【００１０】
請求項４の発明では、請求項２の発明において、器体に複数の電線接続手段並びに複数の解除釦が設けられ、１つの電線接続手段に対して１つの解除釦が設けられたことを特徴とする。
【００１１】
請求項５の発明では、請求項２の発明において、電線接続状態において、解除釦の操作部を、電線の非接続状態に比べて押操作方向へ移動可能としたことを特徴とする。
【００１２】
請求項６の発明では、請求項２の発明において、操作部の操作面に、外側へ向かって突出する突部を設けたことを特徴とする。
【００１３】
請求項７の発明では、請求項２の発明において、突部の位置が器体の表面よりも後退した位置となるように解除釦を配置したことを特徴とする請求項６記載の速結端子装置。
【００１４】
請求項８の発明では、請求項２の発明において、器体に複数の電線接続手段並びに複数の解除釦が設けられ、これら複数の解除釦が合成樹脂成型品により一体に形成されたことを特徴とする。
【００１５】
請求項９の発明では、請求項８の発明において、器体の側壁は、底部から立設され解除釦の一部と当接することで解除釦の抜けを防止する抜止部を残し、該抜止部よりも前方の部位に操作部を露出させる開口が設けられたことを特徴とする。
【００１６】
請求項１０の発明では、請求項２の発明において、器体に２個で１組の電線接続手段が１乃至複数組設けられるとともに、２個の電線接続手段に対して１つの解除釦が設けられており、解除釦の押動部が、対応する２個の電線接続手段の鎖錠部にそれぞれ対向する位置に移動自在に設けられたことを特徴とする。
【００１７】
請求項１１の発明では、請求項１の発明において、解除釦は、電線の挿入方向に沿ってスライド移動自在に配置されたことを特徴とする。
【００１８】
請求項１２の発明では、請求項１１の発明において、器体の側面に解除釦の操作部を露出させる開口を設けるとともに、該開口から露出する操作部の部位に手で摘むための操作突起を設け、該操作突起の先端位置が器体の側面よりも後退した位置となるように解除釦を配置したことを特徴とする。
【００１９】
請求項１３の発明では、請求項１１の発明において、器体の側面に開口を設け、該開口から外側に操作部を露出させており、非操作状態において操作部の先端部を器体の底面付近まで突出させたことを特徴とする。
【００２０】
請求項１４の発明では、請求項１１の発明において、解除釦の操作部を、器体の底面に設けた貫通孔から外方に突出させたことを特徴とする。
【００２１】
請求項１５の発明では、請求項１１の発明において、器体の底面に手の指を入れることが可能な凹部を設けるとともに、該凹部の底に設けた貫通孔から外方に操作部を突出させており、操作部の先端位置が器体の底面よりも後退した位置となるように解除釦を配置したことを特徴とする。
【００２２】
請求項１６の発明では、請求項１、２又は１１の発明において、解除釦の一部と当接することで解除釦をガイドするガイド手段を、解除釦のスライド方向に沿って設けたことを特徴とする。
【００２３】
請求項１７の発明では、請求項１、２又は１１の発明において、器体の表面又は操作部の表面の少なくとも何れか一方に文字、絵、記号などで解除釦の操作方向を表示する表示部を形成したことを特徴とする。
【００２４】
【発明の実施の形態】
以下、本発明に係る速結端子装置をコンセントの端子部に適用した実施形態について図面を参照して説明する。但し、配線器具はコンセントに限定されるものではなく、例えばスイッチなどのコンセント以外の配線器具にも本発明の技術思想が適用可能であることは言うまでもない。
【００２５】
（実施形態１）
本発明の実施形態１を図１〜図２４に基づいて説明する。尚、以下の説明では特に断りがないかぎり、図２（ａ）に示す向きにおいて上下左右の方向を規定し、図２（ａ）における正面を前面とする。したがって、同図（ｂ）における右端は後端となる。
【００２６】
コンセントの器体１は、図１〜図４に示すように耐トラッキング性に優れた熱硬化性合成樹脂（例えばユリア樹脂）を用いて前面が開放された略函形に形成されたボディ２と、同じく耐トラッキング性に優れた熱硬化性合成樹脂（例えばユリア樹脂）を用いて後面が開放された略函形に形成されたカバー３とを、後述する組立枠４を用いて結合することにより形成され、器体１の内部には電圧極用の導電部材４０ａ，４０ｂと、接地極用の導電部材４０ｃと、電圧極用の４個の解除釦５０と、接地極用の解除レバー６０とが納装されている。
【００２７】
カバー３の前壁には、図７及び図８に示すように、突台状のボス部３ａが突設され、長手方向に沿う両側面の中央部には肩部３ｂが突設されている。また、ボス部３ａの前面には、栓刃や導電ピン等の接触子が挿入される一対の接触子挿入口６，６から成るコンセント口（所謂ユニバーサル型のコンセント口）５と、各々に接地極を含む平板状の栓刃が挿入される３個の接触子（栓刃）挿入口８…から成るコンセント口（３極のコンセント口）７とが長手方向に並べて１口ずつ設けてある。
【００２８】
ユニバーサル型のコンセント口５の各接触子挿入口６，６は平板状の栓刃や略円柱状の導電ピン等の種々の接触子に対応可能な形状、すなわち、栓刃が挿入される矩形孔６ａと導電ピンが挿入される半円形孔６ｂとを一体に連通させた形状に形成してある。また、３極のコンセント口７の各接触子挿入口８…は平板状の栓刃に対応させて矩形に形成され、接地極の栓刃が挿入される接触子挿入口８ａの両側に残り（電圧極）の接触子挿入口８ｂ，８ｂが逆ハ字形に配置してある。また、ボス部３ａの前壁の裏面には、接触子挿入口６，６の間の部位と、接極子挿入口８ｂ，８ｂの間の部位とからそれぞれ後方に突出する絶縁壁９，９が突設されている。
【００２９】
一方、ボディ２の略中央には、図５及び図６に示すように底部より立設された周壁１１で周りを囲まれて、接地極用の導電部材４０ｃが収納される収納凹部１２が形成されている。この収納凹部１２の底部には、後述する解除レバー６０の操作部６１ａを挿通する貫通孔２ｆが貫設されている。貫通孔２ｆの両側部には収納凹部１２の底部からリブ１１ａが立設されており、このリブ１１ａによって収納凹部１２の内部が後述の刃受部３２を収納する刃受部収納室１２ａと、後述の端子部２０’を収納する端子部収納室１２ｂとに仕切られている。また収納凹部１２の外側には、底部より立設された隔壁１３によって左右２つの空間に仕切られて、それぞれ電圧極用の導電部材４０ａ，４０ｂを収納する収納凹部１４，１４が形成されている。各収納凹部１４は、底部より立設された隔壁１６によってさらに３つの空間に仕切られ、電圧極の刃受部３０又は３１を収納する刃受部収納室１４ａが長手方向の両側に設けられるとともに、後述の端子部２０を収納する端子部収納室１４ｂが長手方向の中間部に設けられる。なお、電圧極の端子部収納室１４ｂ，１４ｂと接地極の端子部収納室１２ｂとはボディ２の左右方向に並べて設けられており、端子部収納室１２ｂ，１４ｂの底部には外部より電線を導入するための電線挿入孔１５が２個ずつ開口している。また、ボディ２の長手方向に沿う両側壁にはカバー３の肩部３ｂに対応する部位に膨出部１７が形成されており、この膨出部１７には端子部収納室１４ｂに連通する凹溝２ａが形成されている。
【００３０】
ここで、ボディ２の収納凹部１４に収納される導電部材４０ａ又は４０ｂと一対の解除釦５０について以下に説明を行う。導電部材４０ａ，４０ｂは端子板２１及び刃受部３０，３１を一体に連結して構成され、端子板２１と一対の解除釦５０とで端子部２０（速結端子装置）が構成される。なお、導電部材４０ａ，４０ｂは面対称に形成されており、互いに鏡像の関係にあるので、以下では導電部材４０ａについて図１０〜図１２を参照して説明を行い、導電部材４０ｂについては説明を省略する。
【００３１】
刃受部３０は、ばね性を有する金属板を加工することによって、コ字形の基部３０ｃと、基部３０ｃの両側片先端部の前端縁から突設されて互いに対向配置される一対の導電ピン用刃受ばね３０ａと、基部３０ｃの中央片の前端縁から両刃受ばね３０ａと略直角に突設された栓刃用刃受ばね３０ｂと、基部３０ｃの一側片の先端部から延設され後述する端子板２１にかしめ固定される固定片３０ｄとを連続一体に形成してある。
【００３２】
また刃受部３１は、ばね性を有する金属板を加工することによって、コ字状の基部３１ｂと、基部３１ｂの両側片の前端縁から突設されて互いに対向配置される一対の刃受ばね３１ａと、基部３１ｂの一側片の先端部から延設され後述する端子板２１にかしめ固定される固定片３１ｃとを連続一体に形成してある。
【００３３】
一方、端子板２１は、略凸字形の主片２１ａと、主片２１ａの幅狭の一端側の両側部から後方（図１２における下方、以下同じ）へそれぞれ垂下された接触片２２，２２と、主片２１ａの幅広の他端側の両側部から後方へそれぞれ垂下された略Ｊ字形の鎖錠片２３，２３と、鎖錠片２３，２３の側端縁から側方へ突出する連結片２５，２５とを有し、弾性を有する帯状の金属板を加工することで、接触片２２の先端部と鎖錠片２３の先端部が交差するように折り曲げて一体に形成される。接触片２２には、ほぼ平坦な面を有して電線に弾接する接触部２２ａと、電線の挿入方向に沿った接触部２２ａの両側において電線を押圧する一対の押圧部２２ｂ，２２ｃが設けられている。また、接触片２２に対して内側に位置する鎖錠片２３には、電線を接触部２２ａの方へ押圧するとともに電線の一部に食い込んで抜け止めする鎖錠部２３ａと、鎖錠部２３ａよりも接触片２２に近づく向きに突出する受け部２３ｃとが先端に並設され、鎖錠部２３ａよりも後方の部位に電線（接触片２２）から離れる向きに凸となる曲げ部２３ｂが設けられている。なお、図１０（ｂ）に示すように鎖錠部２３ａが接触片２２に対向するとともに受け部２３ｃが接触片２２と対向しないように、接触片２２の幅寸法が鎖錠片２３の幅寸法のおよそ半分に設定されている。また、各連結片２５には挿通孔２５ａが一対ずつ貫設されており（図１６参照）、これら一対の挿通孔２５ａに刃受部３０，３１の連結片３０ｄ，３１ｃに突設した一対の突起を挿通してかしめることで、刃受部３０，３１の固定片３０ｄ，３１ｃに連結片２５が固定される。
【００３４】
また、２個で１組の解除釦５０は、図１及び図１４〜図１９に示すように面対称に形成され、互いに鏡像の関係にある。各解除釦５０は矩形板状の操作片５１を有し、ボディ２の凹溝２ａを操作片５１で塞ぐようにして２個の解除釦５０が並置されている（図２参照）。各解除釦５０の操作片５１の裏面側には、他方の解除釦５０と隣接する側部から背面側に向かって押動部５２が突設され、押動部５２の下面側には押動部５２よりも幅寸法が小さく、且つ、押動部５２よりも突出量の大きいガイド突片５３が突設されている。また押動部５２の先端面の上部には、前側に行くほど操作片５１側に近付く向きに傾斜する傾斜面５２ａが形成されており、押動部５２の上部には、他方の解除釦５０と隣接する側と反対側の面に、端子板２１を逃がすための凹所５２ｂが凹設されている。
【００３５】
一方、ボディ２の底部には、図１７及び図１８（ｂ）に示すように、両解除釦５０のガイド突片５３をガイドする２条の突条２ｄがガイド突片５３，５３の両側部に突設され、さらに端子板２１には、一対の鎖錠片２３，２３の間に両解除釦５０をガイドするガイド溝２４を形成してある（図１６参照）。なお、突条２ｄとガイド溝２４とは、接触部２２ａと鎖錠部２３ａとが対向する方向に沿って形成されている。
【００３６】
而して、ボディ２の端子部収納室１４ｂに端子部２０を収納する際は、ボディ２の開口側から端子部収納室１４ｂ内に一対の解除釦５０と刃受部材４０ａ又は４０ｂを順番に挿入すると、２個の解除釦５０のガイド突片５３が背中合わせに配置されるとともに、操作片５１が凹溝２ａを塞ぐようにして並置される。このように解除釦５０と刃受部材４０ａ又は４０ｂとを、解除釦５０を底部側にして、ボディ２の開口側から順番に挿入することで端子部２０の組み込みが完了するので、組込作業を簡単に行える。
【００３７】
また組込状態においては、背中合わせに配置された２個の解除釦５０のガイド突片５３が、ボディ２の底壁に設けた２条の突条２ｄの間、及び、ガイド溝２４内に配置され、突条２ｄと鎖錠片２３とで両側からガイドされるから、組立時に２個の解除釦５０が倒れるのを防止でき、さらに操作片５１の押操作時に解除釦５０を突条２ｄ及びガイド溝２４に沿ってスライド移動させることができるから、接触部２２ａと鎖錠部２３ａとが対向する方向において解除釦５０をスムーズに移動させることができる。また、ガイド突片５３の外側縁がボディ２の底部に設けた段部２ｅと当接することによって、解除釦５０の外側方向への移動が規制され、解除釦５０の抜けが防止される。そして、組込状態においては各解除釦５０の押動部５２が、鎖錠片２３における受け部２３ｃに対向配置されており、解除釦５０の操作片５１を内側に押し込むと、押動部５２でそれぞれ対向する鎖錠片２３の受け部２３ｃを押圧することにより、電線に食い込んでいる鎖錠部２３ａを電線から離すように鎖錠片２３を撓ませて電線の引き抜きが可能となる。なお、ガイド突片５３は押動部５２に比べて細幅に形成されているので、ガイド突片５３が鎖錠片２３に当たることはない。
次に、ボディ２の収納凹部１２に収納される導電部材４０ｃ及び解除レバー６０について説明する。導電部材４０ｃは、図１及び図１３に示すように端子板２１’と刃受部３２とを一体に連結して構成され、端子板２１’と解除レバー６０とで接地極側の端子部２０’（速結端子装置）が構成される。なお、端子板２１’は連結片２５を無くした点以外は上述の端子板２１と同様の構造を有しているので、共通する構成要素には同一の符号を付して、その説明は省略する。
【００３８】
刃受部３２は、ばね性を有する金属板を加工することによって、略コ字形の基部３２ｂと、基部３２ｂの両側片の先端縁から突設されて互いに対向配置される一対の栓刃用刃受ばね３２ａと、側面視の形状がＬ字形に形成され、基部３２ｂの中央片から連続一体に延出して端子板２１’の主片２１ａにかしめ固定される連結片３２ｃとを連続一体に形成してある。
【００３９】
解除レバー６０は、図２０（ａ）〜（ｃ）に示すように側面視の形状が略Ｙ字状に形成されたレバー体６１を有し、レバー体６１の二股に分かれた一方の端部の両側縁からは押動部６２，６２が側方に突出し、他方の端部の両側縁からは丸棒状の回動軸６３，６３が側方に突出している。
【００４０】
一方、カバー３の前壁の裏面からは、ボディ２の貫通孔２ｆに対向する部位に軸受け台３ｅが立設されており、組立状態においては軸受け台３ｅの先端面に凹設された円周面３ｆと、貫通孔２ｆの両側部に立設された隔壁１１ａの先端面とで回動軸６３を挟持することによって、解除レバー６０が回動軸６３を中心として回動自在に保持される。
【００４１】
そして、以上のような端子部２０，２０’に電線を接続する際は、電線挿入孔１５を通して接触片２２と鎖錠片２３との間に電線を挿入すると、鎖錠片２３の鎖錠部２３ａが電線に食い込むことによって電線が抜け止めされるとともに、鎖錠片２３のばね力によって電線が接触片２２の接触部２２ａに弾接し、さらに電線は一対の押圧部２２ｂ，２２ｃによって鎖錠片２３の方へ押圧されるから、鎖錠部２３ａと押圧部２２ｂ，２２ｃの押圧力とが均衡して電線が挟持される。すなわち、端子部２０，２０’は電線挿入孔１５に電線を挿入するだけで結線することが可能な速結端子となっている。ここに、鎖錠片２３から電線接続手段が構成され、端子板としての接触片２２と鎖錠片２３とを一体に連結することで端子板２１，２１’を形成してある。
【００４２】
また、端子部２０から電線を外す際には、ボディ２の凹溝２ａから露出する解除釦５０の操作片５１を内側に押し込むと、解除釦５０の押動部５２が鎖錠片２３の受け部２３ｃを接触片２２から離れる向きに押圧するので、電線の鎖錠状態が解除され、電線を容易に引き抜くことができる。したがって、一方の手で器体１を持ち、器体１を持つ方の手の指で解除釦５０の操作片５１を押して、鎖錠片２３を撓ませながら、もう一方の手で電線を引き抜くことができ、作業に習熟していなくても容易に電線を外すことができる。なお、解除釦５０は１個の鎖錠片２３に対して１個ずつ設けられており、１個の解除釦５０で１個の鎖錠片２３のみを撓ませているので、２個の鎖錠片２３を同時に撓ませる場合に比べて操作荷重を小さくできる。
【００４３】
また、図１８（ａ）は端子部２０に電線が接続されていない状態、同図（ｂ）は端子部２０に電線が接続された状態をそれぞれ示しており、電線の非接続時において解除釦５０の操作片５１に操作力を加えていない状態では、鎖錠片２３のばね力によって解除釦５０が外側に押圧されるので、解除釦５０は、ガイド突片５３がボディ２底部の段部２ｅと当接する位置まで移動している。一方、電線の接続時には、接触片２２と鎖錠片２３との間に挿入された電線によって接触片２２から離れる向きに鎖錠片２３が撓められているから、解除釦５０は、電線の非接続時に比べてさらに内側まで入り込むことができ、解除釦５０の位置によって結線完了状態を表示することもできる。
【００４４】
一方、端子部２０’から電線を外す際には、ボディ２底面の凹部２ｇに開口する貫通孔２ｆから突出する解除レバー６０の操作部６１ａを起こすと、レバー体６１が回動軸６３を中心に回動して、押動部６２が鎖錠片２３の受け部２３ｃを押圧することにより、電線に食い込んでいる鎖錠部２３ａを接触片２２（電線）から離れる向きに撓ませるので、電線を容易に引き抜くことができる。
【００４５】
なお、電線解除時の釦操作やレバー操作の操作方向を分かりやすくするために、図２１及び図２２に示すように、解除釦５０の操作片５１の表面（操作面）や、ボディ２の表面における解除釦５０や解除レバー６０の周縁部に操作する方向などを例えば「ＰＵＳＨ」という文字や矢印で表示する表示部Ａを形成しても良く、表示部Ａの表示から操作方向を容易に把握でき、誤操作を防止できる。なお表示部Ａの表示は文字や絵や記号などで行えば良く、その表示方法は刻印、印刷、ラベルなど適宜の方法で行えば良い。
【００４６】
また、本実施形態では操作片５１の表面（操作面）を平坦面としているが、図２３（ａ）（ｂ）に示すように操作片５１の操作力を加えたい部位に、外側へ突出する突部５４を形成しても良く、突部５４を設けることで所望の部位に力を加えやすくなる。なお突部５４の先端部には丸みを持たせるのが望ましく、突部５４を押圧する際に手の指に加わる圧力を小さくして、指に痛みが加わるのを防止できる。また、図２４に示すように、組立状態において突部５４の先端の位置がボディ２の側壁表面よりも後退した位置となるように解除釦５０を配置しても良く、器体１の表面よりも外側に突出する部位がないので、器体１の外側に配設された電線などで突部５４が押し込まれて、電線の接続状態が解除されるのを防止できる。
【００４７】
ところで、上述のように構成される導電部材４０ａ，４０ｂは、ボディ２の四隅に設けた刃受部収納室１４ａに刃受部３０，３１を収納するとともに、端子部収納室１４ｂに端子板２１を収納するようにして、ボディ２の各収納凹部１４に納装される。なお、両収納室１４ａ，１４ｂを仕切る隔壁１６には端子板２１の結合部２５，２５を挿通するためのスリット１６ａを設けてある。また導電部材４０ｃは、ボディ２の刃受部収納室１２ａに刃受部３２を収納するとともに、端子部収納室１２ｂに端子板２１’を収納するようにして収納凹部１２内に収納される。そして、ボディ２の開口面にカバー３を突き合わせた状態では、刃受部３０とカバー３の前壁に設けたユニバーサル型のコンセント口５の接触子挿入口６とが対向するとともに、刃受部３１，３２と３極のコンセント口７の接触子挿入口８ｂ，８ａとが対向することになる。
【００４８】
ここで、接触子挿入口６から対向する一対の刃受ばね３０ａの間に円柱状の導電ピンが挿入されると、一対の刃受ばね３０ａの間に導電ピンが弾性挟持されて、導電部材４０ａ，４０ｂと導電ピンとが電気的に接続され、一対の刃受ばね３０ａの側縁と刃受ばね３０ｂとの間に平板状の栓刃が挿入されると、一対の刃受ばね３０ａの側縁と刃受ばね３０ｂとの間で栓刃が弾性挟持されて、導電部材４０ａ，４０ｂと栓刃とが電気的に接続されるのである。また接触子挿入口８から一対の刃受ばね３１ａの間に平板状の栓刃が挿入されると、一対の刃受ばね３１ａの間に栓刃が弾性挟持されて、導電部材４０ａ，４０ｂと栓刃とが電気的に接続されるのである。また接触子挿入口８ａから対向する一対の刃受ばね３２ａの間に平板状の栓刃が挿入されると、一対の刃受ばね３２ａの間に栓刃が弾性挟持され、導電部材４０ｃと栓刃とが電気的に接続されるのである。ここに、刃受部３０の一対の刃受ばね３０ａ、刃受部３１の一対の刃受ばね３１ａ、並びに刃受部３２の一対の刃受ばね３２ａは、ともに対向する互いの間隔が前方ほど幅狭となるように傾斜し且つ前端間が導電ピンあるいは栓刃が挿入し易いように前方ほど間隔が拡がるように傾斜させてあり、導電ピンあるいは栓刃が挿入し易いようになっている。また、刃受部３０の刃受ばね３０ｂも、刃受ばね３０ａとの間隔が前方ほど幅狭となるように傾斜し且つ前端間は栓刃が挿入し易いように前方ほど間隔が拡がるように傾斜させてあり、栓刃が挿入し易いようにしてある。
【００４９】
次に、ボディ２とカバー３とを結合して器体１を組み立てる構造について説明する。本実施形態においては、ボディ２とカバー３との双方に設けた嵌合突起２ｂ，３ｃに組立枠４を凹凸嵌合することでボディ２とカバー３とを結合して器体１を組み立てるようになっている。
【００５０】
ボディ２の長手方向に沿う両側面には膨出部１７の両側部に角柱状の嵌合突起２ｂが突設され、さらに嵌合突起２ｂの前側（図５（ｂ）における左側）には凹溝２ｃが形成されている。また、カバー３の長手方向に沿う両側面には、嵌合突起２ｂと同形状且つ同寸法の嵌合突起３ｃが肩部３ｂの両側部に突設されており、ボディ２の開口面にカバー３を突き合わせた状態では、それぞれの嵌合突起２ｂ，３ｃが凹溝２ｃを挟んで前後方向に一列に配置されることになる。
【００５１】
一方、組立枠４は弾性を有する合成樹脂成型品からなり、図９（ａ）〜（ｃ）に示すように嵌合突起２ｂ，３ｃと各々嵌合する嵌合孔４ｂ，４ｂが長手方向に並設された短冊状の縦片４ａを有し、器体１と対向する縦片４ａの背面側において嵌合孔４ｂ，４ｂで挟まれた略中央部からは先端に係止爪４ｄを有する係止突片４ｃが背方へ突設されている。また、縦片４ａの前端面には、埋込型の配線器具を造営面に埋込配設するための取付枠、又は配線器具の取付構造を有したフラッシプレート（以下、単に「プレート」という）が具備する係合孔と係合して器体１を取付枠又はプレート枠に取り付けるための取付爪４ｅが突設されている。そして、カバー３の長手方向に沿う両側壁の後縁には、嵌合突起３ｃ近傍の部位に、後方に向かうにつれて内側に傾斜するガイド面３ｄが形成されている。
【００５２】
而して、ボディ２とカバー３とを結合して器体１を組み立てるには、ボディ２とカバー３を開口面側で突き合わた状態で係止突片４ｃを凹溝２ｃに挿入するように組立枠４を器体１の長手方向に対向する両側面の方へ押しつければ、組立枠４の各嵌合孔４ｂ，４ｂにボディ２及びカバー３の嵌合突起２ｂ，３ｃがそれぞれ嵌合してボディ２とカバー３とが結合されると同時に、係止突片４ｃの先端に設けた係止爪４ｄがカバー３の両側壁のガイド面３ｄに沿うように係止突片４ｃが後方に撓み、やがて係止突片４ｃの係止爪４ｄがカバー３の両側壁の開口縁に係止することによって、組立枠４の嵌合突起２ｂ，３ｃからの脱落が防止でき、ボディ２とカバー３とが結合されるのである。
【００５３】
（実施形態２）
本発明の実施形態２を図２５及び図２６を参照して説明する。上述の実施形態１では、１個の鎖錠片２３について１個の解除釦５０を設けているのに対して、本実施形態では２個の鎖錠片２３について１個の解除釦５０’を設け、１個の解除釦５０’で２個の鎖錠片２３を同時に撓ませて、２本の電線の接続状態を同時に解除できるようにしている。尚、解除釦５０’以外の構成は実施形態１と同様であるので、共通する構成要素には同一の符号を付して、その説明は省略する。
【００５４】
解除釦５０’は合成樹脂成型品からなり、上述した解除釦５０を２個並置したのと略同じ形状に形成されている。すなわち、解除釦５０’は凹溝２ａの開口面と略同じ大きさの矩形板状の操作片５１を具備しており、この操作片５１の裏面側には、背面側に向かって押動部５２が突設され、押動部５２の下面側には押動部５２よりも幅寸法が小さく、且つ、押動部５２よりも突出量の大きいガイド突片５３が突設されている。また、押動部５２の先端面の上部には、前側に行くほど操作片５１側に近付く向きに傾斜する傾斜面５２ａが形成されており、さらに押動部５２の上部の両側面には端子板２１を逃がすための凹所５２ｂが凹設されている。このように、解除釦５０’は実施形態１で説明した２個の解除釦５０を一体に形成しているので、部品点数を削減でき、組立性の向上やコストダウンが図れる。
【００５５】
一方、ボディ２の底部には、図２６（ｂ）に示すように解除釦５０’のガイド突片５３をガイドする２条の突条２ｄがガイド突片５３の両側部に突設され、さらに端子板２１には、一対の鎖錠片２３，２３の間にガイド突片５３をガイドするガイド溝２４を形成してある。なお、突条２ｄとガイド溝２４とは、接触部２２ａと鎖錠部２３ａとが対向する方向に沿って形成されている。
【００５６】
而して、ボディ２の端子部収納室１４ｂに端子部２０を収納する際は、ボディ２の開口側から端子部収納室１４ｂ内に解除釦５０’と刃受部材４０ａ又は４０ｂとを順番に挿入すると、解除釦５０’のガイド突片５３が２条の突条２ｄによってガイドされるとともに、操作片５１が凹溝２ａを塞ぐようにして配置される。このように解除釦５０’と刃受部材４０ａ又は４０ｂとを、解除釦５０’を底部側にして、ボディ２の開口側から順番に挿入することで端子部２０の組み込みが完了するので、組込作業を簡単に行える。
【００５７】
また組込状態においては、解除釦５０’のガイド突片５３が、ボディ２の底壁に設けた２条の突条２ｄの間、及び、ガイド溝２４内に配置され、突条２ｄと鎖錠片２３とで両側からガイドされるから、組立時に解除釦５０’が倒れるのを防止でき、さらに操作片５１の押操作時に解除釦５０’を突条２ｄ及びガイド溝２４に沿って（つまり、接触部２２ａと鎖錠部２３ａとが対向する方向に沿って）スライド移動させることができるから、解除釦５０’をスムーズに移動させることができる。また、ガイド突片５３の外側縁がボディ２の底部に設けた段部２ｅと当接することによって、解除釦５０’の外側方向への移動が規制され、解除釦５０’の抜けが防止される。そして、組込状態においては解除釦５０’の押動部５２が、鎖錠片２３の先端部に対向配置されており、解除釦５０’の操作片５１を内側に押し込むと、押動部５２によって鎖錠片２３の先端部が押圧され、鎖錠片２３が接触片２２から離れる向きに撓められるのである。なお、ガイド突片５３は押動部５２に比べて細幅に形成されているので、ガイド突片５３が鎖錠片２３に当たることはない。
【００５８】
ここで、端子部２０に接続された電線を外す際には、ボディ２の凹溝２ａから露出する解除釦５０’の操作片５１を内側に押し込むと、解除釦５０’の押動部５２が鎖錠片２３，２３を接触片２２，２２から離れる向きに押圧するので、２本の電線の鎖錠状態が解除され、２本の電線を同時に引き抜くことができる。したがって、一方の手で器体１を持ち、器体１を持つ方の手の指で解除釦５０’の操作片５１を押して、鎖錠片２３を撓ませながら、もう一方の手で電線を引き抜くことができ、作業に習熟していなくても容易に電線を外すことができる。
【００５９】
また、２個の鎖錠片２３を同時に撓ませるため、より大きな操作力が必要になるが、１個の鎖錠片２３について１個ずつ解除釦５０を設けた場合に比べて、操作片５１の面積を大きくとることができるので、操作片５１を指で押し易くなり、より大きな力を加えることができる。なお、段部２ｅの高さは、ガイド突片５３と係止して解除釦５０’の抜け止めを行うのに必要な最小の高さとするのが望ましく、ボディ２の側壁は、抜止部としての段部２ｅを残して段部２ｅよりも前側の部位を開口させることで、操作片５１の面積を大きくとることができ、操作片５１の押し操作時に指に加わる圧力を小さくして、指に痛みを感じるのを防止できる。
【００６０】
また、電線の非接続時において解除釦５０’の操作片５１に操作力を加えていない状態では、鎖錠片２３のばね力によって解除釦５０’が外側に押圧されるので、解除釦５０’は、ガイド突片５３がボディ２底部の段部２ｅに当接する位置まで移動している。一方、電線の接続時には、接触片２２と鎖錠片２３との間に挿入された電線によって接触片２２から離れる向きに鎖錠片２３が撓められているから、解除釦５０’は、電線の非接続時に比べてさらに内側まで入り込むことができ、解除釦５０’の位置によって結線完了状態を表示することもできる。
【００６１】
（実施形態３）
本発明の実施形態３を図２７（ａ）〜（ｃ）に基づいて説明する。上述の実施形態１では、１個の鎖錠片２３について１個の解除釦５０を設けているのに対して、本実施形態では２個の鎖錠片２３に対して１個の解除釦５０″を設け、１個の解除釦５０″で何れか一方の鎖錠片２３を選択的に撓ませて、電線の接続状態を１本ずつ解除できるようにしている。尚、解除釦５０″以外の構成は実施形態１と同様であるので、共通する構成要素には同一の符号を付して、その説明は省略する。
【００６２】
解除釦５０″は合成樹脂成型品からなり、実施形態１で説明した解除釦５０を２個並置したのと略同じ形状に形成されている。すなわち、解除釦５０″は凹溝２ａの開口面と略同じ大きさの矩形板状の操作片５１を具備し、この操作片５１の裏面側には背面側に向かって突台部５５が突設され、突台部５５の下面側には突台部５５よりも幅寸法が小さく、且つ、突台部５５よりも突出量の大きいガイド突片５３が突設されている。突台部５５の先端面の略中央には、端子板２１の鎖錠片２３，２３と対向する部位に開口穴５５ａが形成され、この開口穴５５ａ内に押動部としての押代部５６をスライド自在に配置してある。開口穴５５ａの内側面には、鎖錠片２３，２３の配列方向に沿ってレール溝５５ｂが形成されており、このレール溝５５ｂに押代部５６のガイド突起５６ａを係合させることで、押代部５６を鎖錠片２３，２３の配列方向に沿ってスライド移動させることができる。ここで、押代部５６の幅寸法は、鎖錠片２３を１つだけ押操作可能な寸法に形成されているので、解除釦５０″によって２つの鎖錠片２３，２３の内の一方のみを選択的に撓ませることができる。したがって、電線の解除操作を行う際には、先ず電線を外したい方の鎖錠片２３が下になるように器体１を傾けて、押代部２６を所望の鎖錠片２３に対向する位置までスライド移動させた後（図２７（ｂ）参照）、操作片５１を押操作すると、押代部２６によって所望の鎖錠片２３が接触片２２から離れる方向に撓められて、電線の鎖錠状態が解除されるので、電線を容易に引き抜くことができる。また実施形態１と同様に、一方の手で器体１を持ち、器体１を持つ方の手の指で解除釦５０″の操作片５１を押して、鎖錠片２３を撓ませながら、もう一方の手で電線を引き抜くことができ、作業に習熟していなくても容易に電線を外すことができる。
【００６３】
このように、本実施形態では解除釦５０″により２個の鎖錠片２３の内の一方のみを選択的に撓ませているので、２個の鎖錠片２３を同時に撓ませる場合に比べて操作荷重を小さくできる。さらに、解除釦５０″の操作片５１は、凹溝２ａの開口面と略同じ大きさに形成されており、１個の鎖錠片２３に対して１個の解除釦５０を設けた場合に比べて、操作片５１の面積を大きくとることができるので、操作片５１を指で押し易くなり、より大きな力を加えることができる。
【００６４】
（実施形態４）
本発明の実施形態４を図２８及び図２９を参照して説明する。上述の実施形態１〜３では、解除釦５０，５０’，５０″を、鎖錠部２３ａと接触部２２ａとが対向する方向に沿ってスライド移動自在に配置しているのに対して、本実施形態では２個の鎖錠片２３に対して１個の解除釦７０を設け、この解除釦７０を電線の挿入方向に沿ってスライド移動自在に配置している。尚、解除釦７０以外の構成は実施形態１と同様であるので、共通する構成要素には同一の符号を付して、その説明は省略する。
【００６５】
解除釦７０は合成樹脂成型品であって、矩形板状の主部７０ａと、主部７０ａの前面に突設された操作突起７０ｂと、主部７０ａ後面の幅方向略中央から立設された縦片７０ｃとを一体に形成して構成され、縦片７０ｃの上端部には２つの鎖錠片２３，２３の受け部２３ｃ，２３ｃを同時に押圧するための押動部７０ｄが突設されている。
【００６６】
そして、解除釦７０は、主部７０ａの左右両側縁を、凹溝２ａの左右の端面に形成したガイド溝に挿入するなどして、電線の挿入方向（器体１の前後方向）に沿ってスライド自在に配置されており、組込状態においては操作突起７０ｂが凹溝２ａから露出している。電線の解除操作を行う際に操作突起７０ｂを摘んで操作するため、この操作突起７０ｂを凹溝２ａから露出させているが、操作突起７０ｂの先端面はボディ２の表面と略面一となっており、器体１の表面から突出する部分がないので、外観の見栄えが良い。なお、操作突起７０ｂの先端位置が、ボディ２の表面よりも後退した位置となるように、解除釦７０を配置すれば良く、ボディ２の表面から突出する部分を無くして、外観の見栄えを良くできる。
【００６７】
ここで、図２９（ａ）は電線の非接続状態を、同図（ｂ）は電線の接続状態を夫々示しており、解除釦７０の操作突起７０ｂに操作力を加えていない状態では、鎖錠片２３のばね力によって押動部７０ｄが同図中の下側へ押圧され、解除釦７０は主部７０ａ及び縦片７０ｃがボディ２の底部と当接する位置まで移動している。
【００６８】
そして、端子部２０に接続された電線を解除する際には、凹溝２ａから露出する操作突起７０ｂを摘んで、解除釦７０を上側に押し上げると、解除釦７０の押動部７０ｄが鎖錠片２３の受け部２３ｃを接触片２２から離れる向きに押圧するので、電線の鎖錠状態が解除され、電線を容易に引き抜くことができる。したがって、一方の手で器体１を持ち、器体１を持つ方の手の指で解除釦７０の操作片７０ａを押して、鎖錠片２３を撓ませながら、もう一方の手で電線を引き抜くことができ、作業に習熟していなくても容易に電線を外すことができる。なお、カバー３の肩部３ｂには、解除釦７０の主部７０ａを逃がすための透孔３ｇが形成されており、解除釦７０を上側に押し上げると、主部７０ａの上部が透孔３ｇ内に挿入されるようになっている。
【００６９】
ところで、本実施形態では主部７０ａの前面に設けた操作突起７０ｂを凹溝２ａ内に露出させ、操作突起７０ｂを摘んで解除釦７０を押し上げているが、図３０及び図３１に示すように、主部７０ａの前面に操作突起７０ｂを形成する代わりに、主部７０ａ前面の前後方向略中間部から後方に向かって突出する短冊状のスライド操作部７０ｅを主部７０ａと一体に形成するとともに、ボディ２表面の凹溝２ａ後方の部位にスライド操作部７０ｅが挿入される凹部２ｈを設けても良く、スライド操作部７０ｅを押し上げることによって、解除釦７０をスライド移動させることができるから、操作性が向上する。また、スライド操作部７０ｅの表面はボディ２の表面と略面一になっており、器体１の表面から突出する部分がないので、外観の見栄えも良い。なお、スライド操作部７０ｅの先端位置が、ボディ２の表面よりも後退した位置となるように、解除釦７０を配置すれば良く、ボディ２の表面から突出する部分を無くして、外観の見栄えを良くできる。
【００７０】
（実施形態５）
本発明の実施形態５を図３２（ａ）（ｂ）を参照して説明する。上述の実施形態１〜３では、解除釦５０，５０’，５０″を、鎖錠部２３ａと接触部２２ａとが対向する方向に沿ってスライド移動自在に配置しているのに対して、本実施形態では２個の鎖錠片２３に対して１個の解除釦７１を設け、この解除釦７１を電線の挿入方向（前後方向）に沿ってスライド移動自在に配置している。尚、解除釦７１以外の構成は実施形態１と同様であるので、共通する構成要素には同一の符号を付して、その説明は省略する。
【００７１】
解除釦７１は合成樹脂成型品であって、矩形板状の主部７１ａと、主部７１ａの下側縁略中央から下方に突出する操作突起７１ｂと、主部７１ａ後面の幅方向略中央から立設された縦片７１ｃとを一体に形成して構成され、縦片７１ｃの上端部には２つの鎖錠片２３，２３の受け部２３ｃ，２３ｃを同時に押圧するための押動部７１ｄが突設されている。また、ボディ２の膨出部１７に設けた凹溝２ａの開口が塞がれており、さらにボディ２の底部には解除釦７１の操作突起７１ｂを挿通させる貫通孔２ｆが貫設されている。
【００７２】
而して、解除釦７１は、操作突起７１ｂを貫通孔２ｆ内に挿通するとともに、主部７１ａの左右両側縁を、凹溝２ａの左右の壁面に形成したガイド溝に挿入するなどして、電線の挿入方向に沿ってスライド自在に配置されており、組込状態においては操作突起７１ｂの先端が貫通孔２ｆから後方に突出している。
【００７３】
そして、端子部２０に接続された電線を解除する際には、貫通孔２ｆから突出する操作突起７１ｂを前方に押し込んで、解除釦７１を前方に押し上げると、解除釦７１の押動部７１ｄが鎖錠片２３の受け部２３ｃを接触片２２から離れる向きに押圧するので、電線の鎖錠状態が解除され、電線を容易に引き抜くことができる。したがって、一方の手で器体１を持ち、器体１を持つ方の手の指で解除釦７１の操作突起７１ｂを押して、鎖錠片２３を撓ませながら、もう一方の手で電線を引き抜くことができ、作業に習熟していなくても容易に電線を外すことができる。
【００７４】
このように、本実施形態では解除釦７１を電線の挿入方向に沿ってスライド移動自在に配置しており、解除釦７１の操作突起７１ｂを押し込んで、解除釦７１を前方に移動させることによって、解除釦７１の押動部７１ｄで鎖錠片２３を変位させており、実施形態４のように操作突起７０ｂを摘んで解除釦７０を押し上げる場合に比べて、解除釦７１に操作力を加えやすく、より小さい力で解除操作が行えるという利点がある。
【００７５】
（実施形態６）
本発明の実施形態６を図３３及び図３４を参照して説明する。上述の実施形態１では、接地極用の端子部２０’から電線を外すために、器体１の内部に解除レバー６０を回動自在に収納しているが、本実施形態では、解除レバー６０の代わりに解除釦６４を電線の挿入方向に沿ってスライド移動自在に収納してある。尚、解除釦６４以外の構成は実施形態１と同様であるので、共通する構成要素には同一の符号を付して、その説明は省略する。
【００７６】
解除釦６４は合成樹脂成型品からなり、矩形板状のスライド操作部６４ａと、スライド操作部６４ａの前端部から側方に突出する横片６４ｂと、横片６４ｂの先端部に突設された押動部６４ｃと、横片６４ｂの左右の両側縁から前方に突出する突片６４ｄ，６４ｄとを連続一体に形成して構成される。
【００７７】
そして、解除釦６４は、スライド操作部６４ａの先端を後側、突片６４ｄを前側にそれぞれ向けた状態で凹部１２内に収納され、組込状態においてはスライド操作部６４ａがボディ２底部の貫通孔２ｆを通して外側に突出するとともに、押動部６４ｃが端子板２１’の鎖錠片２３，２３の受け部２３ｃ，２３ｃに対向して配置される。また、解除釦６４は、スライド操作部６４ａを貫通孔２ｆの周縁部に沿わせるようにして、電線の挿入方向（器体１の前後方向）にスライド移動するので、押操作時に解除釦６４が傾くことはなく、解除釦６４をスムーズにスライド移動させることができる。
【００７８】
また、ボディ２の底面には貫通孔２ｆの周りに凹部２ｇを形成してあり、スライド操作部６４ａの先端位置をボディ２の底面と略面一にしているので、ボディ２の底面から突出する部分がなく、外観の見栄えを良くできる。なお、スライド操作部６４ａの先端位置が、ボディ２の底面よりも後退した位置となるように、解除釦６４を配置すれば良く、ボディ２の底面から突出する部分を無くして、外観の見栄えを良くできる。
【００７９】
また、解除釦６４を電線挿入方向に沿ってスライド移動させることで、鎖錠片２３を撓ませて電線の解除操作を行っているので、スライド操作部６４ａに加えた力を効率良く鎖錠片２３に作用させることができ、より小さい力で電線の接続状態を解除することができる。
【００８０】
【発明の効果】
上述のように、請求項１の発明は、配線器具の器体の底面に貫設した電線挿入孔を通して器体に導入される電線に接触する端子板と、ばね力を利用して該端子板との間で電線を狭持するとともに鎖錠部が該電線に食い込んで抜け止めする電線接続手段と、該電線接続手段による抜け止め状態を解除する解除釦とを備え、該解除釦は、器体の表面に露出して手動操作される操作部と、当該操作部が押操作されると鎖錠部をそのばね力に抗して電線から引き離す向きに押し動かす押動部とを具備し、器体の内部にスライド移動自在に配置されたことを特徴とし、解除釦の操作部を押操作して、解除釦をスライド移動させることによって、解除釦の押動部で鎖錠部を電線から引き離す向きに押し動かすことができるので、器体を持った方の手で解除釦を押操作するとともに、もう一方の手で電線を引き抜くことができるから、鎖錠部による電線の鎖錠状態を容易に解除して、電線を引き抜くことができる。
【００８１】
請求項２の発明は、請求項２の発明において、解除釦は、鎖錠部が端子板に対向する方向に沿ってスライド移動自在に配置されたことを特徴とし、請求項１の発明と同様の効果を奏する。
【００８２】
請求項３の発明は、請求項２の発明において、器体は、前面が開口したボディと、ボディの開口に被着されるカバーとで構成され、端子板及び電線接続手段と、解除釦とは、解除釦をボディの底部側にしてボディに納装されることを特徴とし、ボディの内部に解除釦を納装した後、解除釦の上に端子板及び電線接続手段を納装することで組込作業が行えるので、組込作業の作業性が向上するという効果がある。
【００８３】
請求項４の発明は、請求項２の発明において、器体に複数の電線接続手段並びに複数の解除釦が設けられ、１つの電線接続手段に対して１つの解除釦が設けられたことを特徴とし、１つの解除釦で複数の電線接続手段の鎖錠部を同時に撓めて鎖錠状態を解除する場合に比べて、解除操作に必要な力を小さくできる。
【００８４】
請求項５の発明は、請求項２の発明において、電線接続状態において、解除釦の操作部を、電線の非接続状態に比べて押操作方向へ移動可能としたことを特徴とし、解除釦の操作部の位置から電線の接続が完了したことを容易に確認できる。
【００８５】
請求項６の発明は、請求項２の発明において、操作部の操作面に、外側へ向かって突出する突部を設けたことを特徴とし、操作面に設けた突部を押すことで、力を加えたい場所を確実に押操作することができる。
【００８６】
請求項７の発明は、請求項６の発明において、突部の位置が器体の表面よりも後退した位置となるように解除釦を配置したことを特徴とし、器体の外側に配設された電線などで突部が押されて、電線の接続状態が解除されるのを防止できる。
【００８７】
請求項８の発明は、請求項２の発明において、器体に複数の電線接続手段並びに複数の解除釦が設けられ、これら複数の解除釦が合成樹脂成型品により一体に形成されたことを特徴とし、複数の解除釦を一体に形成してあるので、部品点数を削減でき、組立性の向上やコストダウンが図れるという効果がある。
【００８８】
請求項９の発明は、請求項８の発明において、器体の側壁は、底部から立設され解除釦の一部と当接することで解除釦の抜けを防止する抜止部を残し、該抜止部よりも前方の部位に操作部を露出させる開口が設けられたことを特徴とし、操作部を露出させる開口をできるだけ大きくとることができるから、操作部の面積を大きくとることができ、手の指で押操作する部分の面積を大きくすることで、押操作時に指に加わる圧力を軽減して、より大きな荷重を加えることが可能になる。
【００８９】
請求項１０の発明は、請求項８の発明において、器体に２個で１組の電線接続手段が１乃至複数組設けられるとともに、２個の電線接続手段に対して１つの解除釦が設けられており、解除釦の押動部が、対応する２個の電線接続手段の鎖錠部にそれぞれ対向する位置に移動自在に設けられたことを特徴とし、１個の電線接続手段について１個の解除釦を設ける場合に比べて操作部の面積を大きくとることができ、手の指で押操作する部分の面積を大きくすることで、押操作時に指に加わる圧力を軽減して、より大きな荷重を加えることが可能になる。さらに解除釦の押動部を２個の電線接続手段の鎖錠部にそれぞれ対向する位置に移動自在に設けているので、押動部を移動させることで何れか一方の電線接続手段の鎖錠部を選択的に押し動かすことができるから、押操作時に加える荷重が、１個の電線接続手段の解除操作に必要な荷重で済み、小さい力で解除操作が行えるという効果がある。
【００９０】
請求項１１の発明は、請求項２の発明において、解除釦は、電線の挿入方向に沿ってスライド移動自在に配置されたことを特徴とし、請求項１の発明と同様の効果がある。
【００９１】
請求項１２の発明は、請求項１１の発明において、器体の側面に解除釦の操作部を露出させる開口を設けるとともに、該開口から露出する操作部の部位に手で摘むための操作突起を設け、該操作突起の先端位置が器体の側面よりも後退した位置となるように解除釦を配置したことを特徴とし、操作突起を摘んで解除釦をスライド移動させることによって、電線の解除操作を行うことができ、さらに操作突起の先端位置が器体の側面よりも後退した位置にあるので、器体の表面から外側に突出する部分がなく、外観の見栄えを良くできるという効果がある。
【００９２】
請求項１３の発明は、請求項１１の発明において、器体の側面に開口を設け、該開口から外側に操作部を露出させており、非操作状態において操作部の先端部を器体の底面付近まで突出させたことを特徴とし、器体側面の開口から外側に突出する操作部を、器体の底面付近まで突出させているので、操作部の操作面を大きくとることができ、操作性が向上する。
【００９３】
請求項１４の発明は、請求項１１の発明において、解除釦の操作部を、器体の底面に設けた貫通孔から外方に突出させたことを特徴とし、器体の底面の貫通孔から突出する操作部を前方へ押圧することによって、解除釦をスライド移動させ、押動部で鎖錠部を押し動かしているので、器体側面の開口から露出する操作突起を摘んでスライド移動させる場合に比べて、操作力を加えやすく、より小さい力で解除操作を行うことができる。
【００９４】
請求項１５の発明は、請求項１１の発明において、器体の底面に手の指を入れることが可能な凹部を設けるとともに、該凹部の底に設けた貫通孔から外方に操作部を突出させており、操作部の先端位置が器体の底面よりも後退した位置となるように解除釦を配置したことを特徴とし、凹部の底の貫通孔から突出する操作部を前方へ押圧することによって、解除釦をスライド移動させ、押動部で鎖錠部を押し動かしているので、器体側面の開口から露出する操作突起を摘んでスライド移動させる場合に比べて、操作力を加えやすく、より小さい力で解除操作を行うことができる。そのうえ、操作部の先端位置が器体の底面よりも後退した位置にあるので、器体の底面から外側に突出する部分がなく、外観の見栄えを良くできるという効果もある。
【００９５】
請求項１６の発明は、請求項１、２又は１１の発明において、解除釦の一部と当接することで解除釦をガイドするガイド手段を、解除釦のスライド方向に沿って設けたことを特徴とし、ガイド手段で解除釦をガイドすることによって、解除釦の倒れを防止するとともに、解除釦をスムーズにスライド移動させることができる。
【００９６】
請求項１７の発明は、請求項１、２又は１１の発明において、器体の表面又は操作部の表面の少なくとも何れか一方に文字、絵、記号などで解除釦の操作方向を表示する表示部を形成したことを特徴とし、表示部の表示から解除釦の操作方向を容易に把握でき、誤操作を防止できる。
【図面の簡単な説明】
【図１】実施形態１を用いたコンセントの分解斜視図である。
【図２】同上を示し、（ａ）は正面図、（ｂ）は右側面図、（ｃ）は下面図である。
【図３】同上の背面図である。
【図４】同上の外観斜視図である。
【図５】同上のボディを示し、（ａ）は正面図、（ｂ）は右側面図、（ｃ）は下面図である。
【図６】同上のボディの背面図である。
【図７】同上のカバーの正面図である。
【図８】同上のカバーを示し、（ａ）は背面から見た図、（ｂ）は側面図、（ｃ）は下面図である。
【図９】同上の組立枠を示し、（ａ）は正面図、（ｂ）は上面図、（ｃ）は右側面図である。
【図１０】同上の電圧極用の導電部材を示し、（ａ）は正面図、（ｂ）は左側面図、（ｃ）は下面図である。
【図１１】同上の電圧極用の導電部材の右側面図である。
【図１２】同上の電圧極用の導電部材を示し、図１０（ａ）のＡ−Ａ断面図である。
【図１３】同上の接地極用の導電部材を示し、（ａ）は正面図、（ｂ）は右側面図、（ｃ）は下面図である。
【図１４】同上の解除釦を示し、（ａ）は正面図、（ｂ）は右側面図、（ｃ）は上面図である。
【図１５】同上の解除釦の外観斜視図である。
【図１６】同上の解除釦と端子部の配置を説明する説明図である。
【図１７】同上のボディに解除釦と導電部材を組み込んだ状態の断面図である。
【図１８】（ａ）（ｂ）は同上のボディに解除釦と導電部材を組み込んだ状態を下側から見た断面図である。
【図１９】同上の要部斜視図である。
【図２０】同上の解除レバーを示し、（ａ）は正面図、（ｂ）は右側面図、（ｃ）は上面図である。
【図２１】同上の解除釦を示し、（ａ）は外観斜視図、（ｂ）は正面図である。
【図２２】同上を背面側から見た外観斜視図である。
【図２３】（ａ）は同上の別の解除釦の側面図、（ｂ）はその解除釦を組み込んだコンセントの外観斜視図である。
【図２４】同上のまた別の解除釦を組み込んだコンセントの外観斜視図である。
【図２５】実施形態２の解除釦の外観斜視図である。
【図２６】同上を示し、（ａ）は解除釦と導電部材の配置を説明する説明図、（ｂ）は解除釦と導電部材をボディに組み込んだ状態の断面図である。
【図２７】実施形態３の解除釦を示し、（ａ）は分解斜視図、（ｂ）は背面側から見た外観斜視図、（ｃ）は斜めに傾けた状態の説明図である。
【図２８】実施形態４を示し、（ａ）は解除釦の外観斜視図、（ｂ）は解除釦を器体に組み込んだ状態の要部拡大斜視図である。
【図２９】同上を示し、（ａ）（ｂ）は解除釦を器体に組み込んだ状態の断面図である。
【図３０】同上の別の解除釦の外観斜視図である。
【図３１】（ａ）（ｂ）は同上の解除釦を器体に組み込んだ状態の要部拡大斜視図である。
【図３２】実施形態５を示し、（ａ）は解除釦の外観斜視図、（ｂ）は解除釦を器体に組み込んだ状態の要部拡大斜視図である。
【図３３】実施形態６を示し、（ａ）は解除釦の外観斜視図、（ｂ）は解除釦を器体に組み込んだ状態の要部拡大斜視図である。
【図３４】同上を示し、（ａ）（ｂ）は解除釦を器体に組み込んだ状態の断面図である。
【図３５】従来の速結端子装置を用いた配線器具を背面側から見た外観斜視図である。
【符号の説明】
１    器体
２    ボディ
３    カバー
２１  端子板
２２  接触片
２３  鎖錠片
５０  解除釦
５１  操作片
５２  押動部
【図１】
2004319392.tif 000003
【図２】
2004319392.tif 000004
【図３】
2004319392.tif 000005
【図４】
2004319392.tif 000006
【図５】
2004319392.tif 000007
【図６】
2004319392.tif 000008
【図７】
2004319392.tif 000009
【図８】
2004319392.tif 000010
【図９】
2004319392.tif 000011
【図１０】
2004319392.tif 000012
【図１１】
2004319392.tif 000013
【図１２】
2004319392.tif 000014
【図１３】
2004319392.tif 000015
【図１４】
2004319392.tif 000016
【図１５】
2004319392.tif 000017
【図１６】
2004319392.tif 000018
【図１７】
2004319392.tif 000019
【図１８】
2004319392.tif 000020
【図１９】
2004319392.tif 000021
【図２０】
2004319392.tif 000022
【図２１】
2004319392.tif 000023
【図２２】
2004319392.tif 000024
【図２３】
2004319392.tif 000025
【図２４】
2004319392.tif 000026
【図２５】
2004319392.tif 000027
【図２６】
2004319392.tif 000028
【図２７】
2004319392.tif 000029
【図２８】
2004319392.tif 000030
【図２９】
2004319392.tif 000031
【図３０】
2004319392.tif 000032
【図３１】
2004319392.tif 000033
【図３２】
2004319392.tif 000034
【図３３】
2004319392.tif 000035
【図３４】
2004319392.tif 000036
【図３５】
2004319392.tif 000037